(57)【特許請求の範囲】
【請求項１】
鉛直方向に真っ直ぐに延びた複数本のバーの上端及び上端寄りの２か所を環状体で一定の間隔に連結して各バーを上下２か所で環状体と接合すると共に、下段の環状体の接合か所の付近か又は上側において、各バーを外向きにヘの字状に曲げて上段の環状体を大形とした保持体を袋の中に全部収納して、前記袋の開口部を上段の大形の環状体を利用して支持しておき、廃棄物の収納後は、前記保持体を袋から抜き出してから、袋の開口を閉じることを特徴とする廃棄物袋の使用方法。
【請求項２】
前記袋の開口縁を内側又は外側に折り曲げて、固定手段で前記袋と保持体とを固定することを特徴とする請求項１に記載の廃棄物袋の使用方法。
【請求項３】
前記袋を網製袋に入れて補強し、袋上部の開口及び／又は袋底部を開けて収納物を排出することを特徴とする請求項１又は請求項２に記載の廃棄物袋の使用方法。
【請求項４】
コンクリートや鉄骨のように重い廃棄物と紙屑や木片などのような軽い廃棄物とを分別した状態で別々の袋に収納してあり、重い廃棄物の袋はトラックの荷台に載せ、軽い廃棄物の袋は、前記トラックで牽引されるトレーラーに載せることを特徴とする請求項１、請求項２又は請求項３に記載の廃棄物袋の使用方法。
【請求項５】
廃棄物を入れる袋の形を保持するために、予め袋の中に全部挿入しておき、廃棄物の収納後は袋から抜き出す保持体であって、鉛直方向に真っ直ぐに延びた複数本のバーの上端及び上端寄りを環状体で一定の間隔に連結して各バーを上下２か所で環状体と接合すると共に、下段の環状体の接合か所の付近か又は上側において、各バーを外向きにヘの字状に曲げて上段の環状体を大形とし、前記袋の開口部を上段の大形の環状体を利用して支持することを特徴とする廃棄物袋の形状保持体。
【請求項６】
前記袋内で前記各バーの下端を保持すると共に前記袋の底部の形状を整えるリングを有することを特徴とする請求項５に記載の廃棄物袋の形状保持体。
【請求項７】
前記袋内を複数に分割するために、各分割袋の開口側を取付ける単一又は複数本を平行に並べた梁手段を有し、その端部を前記環状体に掛けられるように構成してなる請求項５又は請求項６に記載の廃棄物袋の形状保持体。
【請求項８】
複数の小形袋を纏めて収納する大袋を有し、各小袋に挿入する保持体と大袋に挿入する保持体を有することを特徴とする請求項５、請求項６又は請求項７に記載の廃棄物袋の形状保持体。
【請求項９】
請求項５又は請求項６に記載の廃棄物の入った袋を運搬する台車であって、前記袋が台車から落下しないように、Ｌ字状の立ち上がり部を外周に有することを特徴とする廃棄物袋を運搬する台車。
【請求項１０】
前記の上段の環状体と協動して前記袋の開口部を挟持する協動リングを有することを特徴とする請求項５から請求項９までのいずれかに記載の廃棄物袋の形状保持体。
【発明の詳細な説明】
【技術分野】
【０００１】
本発明は、廃棄物を入れる袋の形状保持体、袋の使い方、特に廃棄物を袋に入れる際の袋の使い方に関する。
【背景技術】
【０００２】
種々の廃棄物を袋に収納する際に、廃棄物を投入し易いように、袋を所定の形状に保持させるべく、箱や網カゴの中で袋を拡げて収納した状態にすることや袋外側にパイプなどを組立て袋を固定し収納していた。
しかし、このような方法では、二重収納となることやパイプに固定されているため、移動収納や袋が大きい場合は適用困難となり、代わりに、袋を所定の形状に保持する手段が要望される。一方、特許文献１や特許文献２のように、袋支持器具が提案されているが、これらの場合も、満杯になった袋を袋支持器具から取り出す際に、袋の中に投入した廃棄物が袋支持器具に引っ掛かり、袋を取り出し不能なことが多い。
【先行技術文献】
【特許文献】
【０００３】
【特許文献１】特開2005−324925
【特許文献２】特開2007−314231
【発明の概要】
【発明が解決しようとする課題】
【０００４】
従って、廃棄物を投入し易いように袋を拡げた形状に保持でき、しかも廃棄物の入った袋を保持体から取り出す際に、中の廃棄物が引っ掛かったりしない構造が必要となる。廃棄物袋には、メッシュ（網）状の袋も有るが、袋の形態や材質に関係無く、このような問題が発生する。
本発明の技術的課題は、このような問題に着目し、廃棄物を投入し易いように袋の形状を保持でき、しかも保持体と袋を分離する際に、中の廃棄物が引っ掛かったりしないようにすることにある。
【課題を解決するための手段】
【０００５】
請求項１は、鉛直方向に真っ直ぐに延びた複数本のバーの上端及び上端寄りの２か所を環状体で一定の間隔に連結して各バーを上下２か所で環状体と接合すると共に、下段の環状体の接合か所の付近か又は上側において、各バーを外向きにヘの字状に曲げて上段の環状体を大形とした保持体を袋の中に全部収納して、前記袋の開口部を上段の大形の環状体を利用して支持しておき、廃棄物の収納後は、前記保持体を袋から抜き出してから、袋の開口を閉じることを特徴とする廃棄物袋の使用方法である。袋は、メッシュ（網）状のものでもよい。
【０００６】
請求項２は、前記袋の開口縁を内側又は外側に折り曲げて、固定手段で袋と保持体とを固定することを特徴とする請求項１に記載の廃棄物袋の使用方法である。
【０００７】
請求項３は、前記袋を網製袋に入れて補強し、袋上部の開口又は袋底部を開けて収納物を排出することを特徴とする請求項１又は請求項２に記載の廃棄物袋の使用方法である。袋底部は全部開けてもよいが、一部だけ開けてもよい。
【０００８】
請求項４は、コンクリートや鉄骨のように重い廃棄物と紙屑や木片などのような軽い廃棄物とを分別した状態で別々の袋に収納してあり、重い廃棄物の袋はトラックの荷台に載せ、軽い廃棄物の袋は、前記トラックで牽引されるトレーラーに載せることを特徴とする請求項１、請求項２又は請求項３に記載の廃棄物袋の使用方法である。
【０００９】
請求項５は、廃棄物を入れる袋の形を保持するために、予め袋の中に全部挿入しておき、廃棄物の収納後は袋から抜き出す保持体であって、鉛直方向に真っ直ぐに延びた複数本のバーの上端及び上端寄りを環状体で一定の間隔に連結して各バーを上下２か所で環状体と接合すると共に、下段の環状体の接合か所の付近か又は上側において、各バーを外向きにヘの字状に曲げて上段の環状体を大形とし、前記袋の開口部を上段の大形の環状体を利用して支持することを特徴とする廃棄物袋の形状保持体である。
【００１０】
請求項６は、前記袋内で前記各バーの下端を保持すると共に前記袋の底部の形状を整えるリングを有することを特徴とする請求項５に記載の廃棄物袋の形状保持体である。
【００１１】
請求項７は、前記袋内を複数に分割するために、各分割袋の開口側を取付ける単一又は複数本を平行に並べた梁手段を有し、前記環状体に端部を掛けられるように構成してなる請求項５又は請求項６に記載の廃棄物袋の形状保持体である。
【００１２】
請求項８は、複数の小形袋を纏めて収納する大袋を有し、各小袋に挿入する保持体と大袋に挿入する保持体を有することを特徴とする請求項５、請求項６又は請求項７に記載の廃棄物袋の形状保持体である。
【００１３】
請求項９は、請求項５又は請求項６に記載の廃棄物の入った袋を運搬する台車であって、前記袋が台車から落下しないように、Ｌ字状の立ち上がり部を外周に有することを特徴とする廃棄物袋を運搬する台車である。
【００１４】
請求項１０は、前記の上段の環状体と協動して前記袋の開口部を挟持する協動リングを有することを特徴とする請求項５から請求項９までのいずれかに記載の廃棄物袋の形状保持体である。
【発明の効果】
【００１５】
請求項１のように、保持体を袋の中に収納しておくと、保持体によって袋を保持体の形状に沿わせることで、廃棄物を投入し易いように袋の形状を保持できる。また、廃棄物の収納後は、前記保持体を袋から抜き出してから、袋の開口を閉じるが、保持体は、鉛直方向に真っ直ぐに延びた複数本のバーの上端及び上端寄りを環状体で一定の間隔に連結した構成であるから、前記保持体を袋から抜き出す際に、内容物である廃棄物が保持体に引っ掛かる恐れがなく、円滑に抜き出すことができる。
しかも、下段の環状体の接合か所の付近か又は上側において、各バーを外向きにヘの字状に曲げて上段の環状体を大形とし、前記袋の開口部を上段の大形の環状体を利用して支持するので、図３(3) 〜図６(2) のように、バー１…と袋６の間にスペースが確保される。
【００１６】
保持体の上端及び／又は上端寄りに環状体が有るので、請求項２のように、前記袋の開口縁を内側又は外側に折り曲げて、固定手段で固定すると、袋の開口を保持体の上端に保持させることができる。
【００１７】
請求項３のように、前記袋を網製袋に入れて補強し、袋上部の開口又は袋底部を全部又は一部開けて収納物を排出するため、前記袋が網製袋で補強され、繰り返し何度も使用できて経済的である。
【００１８】
請求項４のように、コンクリートや鉄骨のように重い廃棄物と紙屑や木片などのような軽い廃棄物とを分別した状態で別々の袋に収納してあり、重い廃棄物の袋はトラックの荷台に載せ、軽い廃棄物の袋は、前記トラックで牽引されるトレーラーに載せて運搬するので、一度に両方を運搬でき、経済的である。
【００１９】
請求項５のように、廃棄物を入れる袋の形を保持するために、予め袋の中に挿入しておき、廃棄物の収納後は袋から抜き出す保持体が、鉛直方向に真っ直ぐに延びた複数本のバーの上端及び上端寄りを環状体で連結した構成であるから、廃棄物の収納後に、保持体を袋から抜き出す際に、内容物である廃棄物が保持体に引っ掛かる恐れがなく、円滑に抜き出すことができる。
また、下段の環状体の接合か所の付近か又は上側において、外向きにヘの字状に曲げて上段の環状体を大形とし、前記袋の開口部を上段の大形の環状体を利用して支持しておくので、図３(3) 〜図６(2) のように、バー１…と袋６の間にスペースが確保される。
【００２０】
請求項６のように、前記袋内で前記各バーの下端を保持すると共に前記袋の底部の形状を整えるリングを有するので、袋内で前記各バーの下端を保持して安定化でき、かつ袋の底部をリングと同じ形状に整えることができる。
【００２１】
請求項７のように、前記袋内を複数に分割するために、各分割袋の開口側を取付ける単一又は複数本を平行に並べた梁手段を有し、前記環状体に端部を掛けられるように構成してあるので、前記袋を複数の小袋に分割して、ガラスビン、カン、ペットボトル、燃えるゴミのように、複数種類の廃棄物を分別して収納する場合に便利である。なお、複数本を平行に並べた梁手段を使用する場合は、平行に並べた２本の梁手段を、隣接する分割袋１４…ごとに別々に使用できるので、隣接する分割袋１４…を別々に保持できる。
【００２２】
請求項８のように、複数の小形袋を纏めて収納する大袋を有し、各小袋に挿入する保持体と大袋に挿入する保持体を有するので、保持体が挿入された小袋を纏めて大袋に収納して、廃棄物を各小袋に分別して収納できる。
廃棄物の収納が終わると、各小袋から保持体を取り出し、かつ大袋からその保持体も取り出した状態で、大袋を閉じて搬送することができる。
【００２３】
請求項９のように、廃棄物の入った袋を載せる台車は、Ｌ字状の立ち上がり部を外周に有するので、廃棄物を入れた袋が台車から落下する恐れはない。
【００２４】
請求項１０のように、前記の上段の環状体と協動して前記袋の開口部を挟持する協動リングを有するので、段落「0029」の冒頭に記載のように、図２のクリップ用の固定具７を複数個用い、複数回の操作を要するという問題が解消される。
【図面の簡単な説明】
【００２５】
【図１】廃棄物袋の保持体の実施形態である。
【図２】袋に保持体を挿入した状態である。
【図３】袋と保持体との固定状態を示す実施形態の図である。
【図４】袋と保持体との固定状態を示す別の実施形態の図である。
【図５】袋と保持体との固定状態を示す更に別の実施形態の図である。
【図６】袋と保持体とを半円状リングで固定する実施形態の断面図である。
【図７】四角形の保持体を示す図である。
【図８】一つの袋を複数に分割して使用する実施形態である。
【図９】分割袋の底が浅い場合の対策を示す斜視図である。
【図１０】シングル分割バーの各種実施を示す斜視図である。
【図１１】ダブル分割バーの各種実施を示す斜視図である。
【図１２】缶等の投入口と小物投入口とを合成樹脂製の蓋板に設けた実施形態である。
【図１３】上下２分構造を示す実施形態である。
【図１４】蓋を被せた分別用の分割バーと図柄印刷状態の袋を示す図である。
【図１５】複数の小形袋を纏めて収納する大袋と、大袋に挿入する大型の保持体を示す斜視図である。
【図１６】図15の小形袋を纏めて大袋に収納する方法を示す斜視図である。
【図１７】大型の保持体と蛇腹状の袋を示す斜視図である。
【図１８】図17の大型保持体と袋の使用方法を示す図である。
【図１９】図17の大型保持体と、袋を使用しない場合の積層例を示す斜視図である。
【図２０】廃棄物を積む載置用基台とトレーラーの実施形態を示す斜視図である。
【図２１】載置用基台の上に大型袋を用意する順序を示す斜視図である。
【図２２】トレーラーやトラックの荷台に廃棄物を載せて運搬する斜視図である。
【図２３】廃棄物を大袋から一気に排出する順序を示す斜視図である。
【図２４】パレット上の荷物を吊り上げる際に溢れたり脱落するのを防ぐ方法である。
【図２５】通常の袋を網袋で補強する例を示す斜視図である。
【発明を実施するための形態】
【００２６】
次に本発明による廃棄物袋の保持体が実際上どのように具体化されるか実施形態を詳述する。図１は廃棄物袋の保持体の実施形態であり、(1) は側面図で、鉛直方向に真っ直ぐに延びた複数本のバー１…の上端と上端寄りを環状体２、３で連結した構造に成っている。各バー１…は、２段目の環状体３の付近でへの字状に折り曲げて上側の環状体２を大形とすることで、廃棄物袋の装着を容易にするためである。
各バー１…の下端はフリーになっていて、不安定なため、(2) (3) 図のような立ち上がり部４と水平部５を有するアングルなどの部材から成るリングＲを備えている。このリングＲに、各バー１…の下端を挿入した状態が(2) であり、(1) 図のＡ−Ａ断面図で表現してある。斜視図で示すと、図２(1) のようになる。
リングＲを下端に取付けた保持体を袋６に挿入した状態が図２の(3) 図であり、袋６の開口縁を保持体の内側に折り曲げて、ばね性の有るΩ状の固定手段７で袋６の開口縁と保持体の環状体２とを固定してある。
【００２７】
この状態で、廃棄物の投棄場所に置いておき、廃棄物を袋６に投入し、満杯になると、保持体を抜いてから、袋６の開口を閉じる。或いは、車輪８の付いた台車の上で、前記の袋６に廃棄物を投入し、満杯になったら、台車で袋６を所定の場所に運んでもよい。
台車も、アングル部材などのように、立ち上がり部９と水平部10を有する、断面Ｌ字状の部材でリングを形成し、下面に車輪８…を取付けた構造になっている。
なお、放射状の部材の先端を、前記の水平部10と連結することで、袋６を載置し易くしてある。
【００２８】
袋６が廃棄物で満杯になったら、Ω状固定具７を取り外した後、環状体２、３を上方に引くと、真っ直ぐなバー１…だけであるから、廃棄物が引っ掛かったりすることもなく、容易に抜き取ることができる。
最後に、袋６の開口を紐などで縛ると終了である。
なお、リングＲは袋６の底に残しておくが、袋６に入れる廃棄物でバー１…が変形したり、向きが変化したりする恐れが無ければ、リングＲを袋６の底の整形に用いないこともできる。
【００２９】
クリップ用の固定具７を複数個用い、複数回の操作を要するのに対し、図３は、断面がＬ状（アングル状）のリング７１を用いて、その鉛直辺７１ｖを環状体２の外側に配設する例である。使用に際しては、（１）のように、袋６の中に保持体を挿入した状態で、袋６の上端をアングル状リング７１の中から外側に出してから、（２）のようにアングル状リング７１を環状体２の上に水平部７１ｈを重ねる。この状態を、環状体２の位置で断面にして拡大すると、（３）の状態となる。
図４は、アングル状リング７２を用いて、その鉛直辺７２ｖを環状体２の内側に配設する例である。使用に際しては、（１）のように、袋６の中に保持体を挿入した状態で、袋６の上端をアングル状リング７２の中から外側に出してから、アングル状リング７２を環状体２の上に水平部７２ｈを重ねる。この状態を、環状体２の位置で断面にして拡大すると、（２）の状態となる。
図５は、アングル状リングに代えて、断面が円形のリング７３（鉄筋のような中実でも良いし中空のパイプ状でもよい）を用い、環状体２の上（内寄り）に載置する例である。使用に際しては、（１）のように、袋６の中に保持体を挿入した状態で、袋６の上端を円形リング７３の中から外側に出してから、円形リング７３を環状体２の上に重ねる。この状態を、環状体２の位置で断面にして拡大すると、（２）の状態となる。
図６は、パイプ状の円形リング７３を内外に２分割にした半円状リング７４であり、（１）は外側の半円状リング７４を使用し、（２）は内側の半円状リング７４を使用した例である。
環状体２の環形状に従ってリング７１〜７４のリング形状も決まるので、環状体２の環形状が例えば四角形だと、アングル状リング７１、７２や円形リング７３、７４のリング形状も四角形になる。なお、これらのリング７１〜７４は、中断して自由に開閉可能な形状にして、弾力で袋６の上部を保持してもよい。
袋６の上端を保持体の外側に折り下げた部分６１が風などで揺れ動く恐れが有る場合は、ゴム紐などを巻いて縛るとよい。
【００３０】
前記のような円形に代えて、図７のような四角形も可能であり、三角状や五角以上も可能である。この場合、環状体２、３やリングＲも、円形に代えて多角形にする。また、図８のように、一つの袋６を複数に分割して使用することもでき、ガラスビン、カン、ペットボトル、燃えるゴミのように、廃棄物を複数種類に分別して収納する場合に便利である。
そのためには、図１０(1) (2) (3) のような分割バー11、12、13を形成し、その先端を下向きに折り曲げて、前記環状体２又は３に掛けられるようにする。
図８は図１０(1) の十字状の分割バー11を使用した例であり、図２のように、袋６に保持体を挿入した後、図８の(2) 図のように２段目の環状体３に先端を掛けた状態で、(1) 図のように、分割袋１４…を配設し、ばね性の有るΩ状の固定手段15を分割袋１４…の上端の開口縁の上から、保持体の環状体３や分割バー11に嵌めて固定する。最後に、図１４の合成樹脂蓋１６を被せて、分割袋１４…毎に設けた投入口から廃棄物を分別して投入可能とする。
図９のように、図１０(1) (2) (3) の分割バー11、12、13を、２本ずつ平行に配置したダブル構造は、分割袋１４…を独立して保持できる利点がある。すなわち、図８のよう１本の分割バー11、12、13を隣接する分割袋１４…の保持に共用しないで、図１１のダブル分割バー11’、12’、13’のそれぞれの分割バーに、別々のΩ状の固定手段15を嵌めて、隣接する分割袋１４…を別々に保持できる。
なお、各バー１…の途中の高さに網ＮなどのホルダーＨを取付けて底上げしておくと、分割袋１４…が浅い場合でも、その底部を支持でき、負荷を受けて底が破れるなどの問題がない。また網（ネット）Ｎの下段には空きスペースが出来る為、収容廃棄物の一時的な保管に利用できる。
【００３１】
図１２のように、多角形や円形の保持体を、分別しない廃棄物に使用することも可能であり、合成樹脂製の蓋板１７には、投入口１８の他に、小物を投入する投入口と合成樹脂製の蓋板１７の内側に設ける容器１９を取付けることも可能である。
図１３は、図１２の保持体を上下に２分した例であり、上端寄りの環状体３の真下の位置で、各バー１…を２分可能に連結してある。連結機構は、例えばワンタッチの着脱機構などを採用できる。保持体の整理保管は、積み上げても可能だが、前記のように各バー１…を２分可能だと、頻繁に使用しない時は上下に分離して収納でき、コンパクトになる。又各バー１…を硬質ゴム系のバネ製のバーとも併用できる。
図１４の(2) 図のように、袋６には各種図柄を印刷しておくこともできる。
なお、蓋板１６、１７は、アルミニウムや鋼、ステンレスなどでもよい。
【００３２】
図１５の実施例は、長方形の大袋２０に挿入する大型の長方形保持体２１を有し、また各小袋２２に挿入する小型の保持体２３…を有している。
使用に際しては、各小袋２２を別々に分散して配置し廃棄物を入れてもよいし、初めから図１６の(2) のように大袋２０の中に入れた状態で廃棄物を収集してもよいが、最終的には図１６(1) のように各保持体２３を抜き取って開口を閉じ、次いで大型保持体21を抜き取って、(3) のようにその開口を閉じ、トラック等に載せてリサイクル工場や中継処理場、最終処分場に運搬する。
【００３３】
図１７は、大保持体21のような大型の長方形保持体２４を有し、かつ大型の袋２５を有しているが、この実施例の大型の袋２５は、高くできるように蛇腹状になっている。
内側に大型の長方形保持体２４を配置した状態で、大型の袋２５を人手で持ち上げて開いてもよいが、エンジン２６とエアーポンプ２７を設けると共に空気圧で蛇腹が伸長する構造にしておけば、袋の組立てが容易である。組立て後は、袋２５の上端を大型保持体２４の上端の環状体２に結んで取付けて、安定させる。
【００３４】
図１８のように、蛇腹の最上と最下には、大型保持体２４の脚１…の入る孔ｈと脚１固定丸軸溝Ｈを設けると、安定良く組立てできる。また、収容物が外から見えるように、透明シート２８を併用するのがよい。
蛇腹式の大袋２５を閉じる結束バンド２９と袋吊り上げロープ３０を備えていることは言うまでもない。なお、圧縮空気式の伸縮蛇腹は、引っ張り強度も大きいので、緊急時の仮設小屋としても兼用できる。
大型保持体２４や蛇腹式の大袋２５を使用しない場合は、図１９のように積み上げることで、運搬や保管が容易なように容積を小さくできる。
【００３５】
図２０以下は、大量の運搬や排出の簡易化を図った例であり、図２０（１）は載置用基台の例、図２０（２）はトレーラーの例である。（１）図の載置用基台は、トラックの荷台やトレーラーなどに載せられるような枠状Ｆをしており、その上に図１５のような大型の長方形の大袋２０などを載せる。移動が可能なように小型のローラｒや足Ｌが付いた程度の簡易型であり、しかも低いので簡便である。
これに対し、（２）図のトレーラーは、枠状Ｆにタイヤー３７が付いており、反対側には折り畳み式の足３８や牽引車への連結手段３９を備えている。タイヤー３７が付いているので、高くなる不便はあるが、大型袋２０を載せたまま牽引できる。（１）図の載置用基台Ｆを載せて牽引する用途にも兼用できる。
【００３６】
図２１は、図２０（１）の載置用基台Ｆ上に大型袋２０を用意する順序を示す斜視図である。先ず、図２０（１）の載置用基台Ｆ上において、（１）図に示す大型の長方形保持体２１を、（２）図に示す長方形の大袋２０に挿入し、さらに、大袋２０が破れないように（３）図の網袋２９に挿入する。又は、長方形の網袋２９に（１）図の長方形保持体２１を挿入することも可能である。
このように、載置用基台Ｆ上で長方形の大袋２０を組立てた状態で、廃棄物を投入し、満杯になったら、図２２のように、トレーラーやトラックの荷台に載せて、処理場などに運搬する。
図２２（１）は、大袋２０を載せた載置用基台Ｆをトレーラー上に積む方法を示す図であり、このトレーラーをトラックで牽引している状態を（２）図に示す。なお、このトラックの荷台にも、大袋２０を載せた載置用基台Ｆを積んである。
近年は、コンクリートや鉄骨のように重い廃棄物と紙屑や木片などのような軽い廃棄物とを分別することが多いので、その片方をトラックの荷台に積み、他方は牽引することで、一度に多量の廃棄物を運搬できる。
【００３７】
図２３は、現地に着いて廃棄物を大袋２０から一気に出す方法を示す斜視図である。図２１にも示す大袋２０は、安定よく吊り上げられるように、帯や紐をエンドレスに接続してなる環状吊り輪を２本設けてある。１本の吊り輪Ｏ１は、フリー状態の吊り代３０、３１を両端に有し、大袋２０の左半分の両側壁から余分に出ている。吊り代３０、３１以外の部分は、大袋２０の両側壁と底壁を巻くように縫い付けてあり、大袋２０を補強している。
もう１本の吊り輪Ｏ２は、このようにして、大袋２０の右半分に取付けてある。図２３のように、大袋２０の底壁には、前記吊り輪Ｏ１・Ｏ２と直交する方向に真ん中帯紐３２を位置させて、前記吊り輪Ｏ１・Ｏ２と連結してある。なお、大袋２０自体の底壁に前記吊り輪Ｏ１・Ｏ２と連結してもよい。前記吊り輪Ｏ１・Ｏ２は、この連結部位より片方（図示例では手前側）は、針金や糸で大袋２０に仮止めしておく。
この状態で廃棄物などを入れるが、大袋２０の中の廃棄物などを一気に出す場合は、図２３（２）のように、仮止めを解除してから吊り代３０、３０をクレーンなどで吊り上げると、（３）のように、大袋２０が１８０度反転し、中身が一気に排出される。なお、中身の重みで前記仮止めが切れる構成でもよい。
【００３８】
図２４は、パレット上の廃棄物などの荷物を吊り上げる際に溢れたり脱落したりするのを防止する構成であり、（１）のように底にパレット台ｆを敷いたモッコ状網Ｍを逆Ｖ状に変形できるように、４辺３３…をフレキシブルなバネ製としてある。
従来は、クレーン荷上げ作業において、荷物Ｂなどを吊り上げる時、パレット台ｆをそのまま吊り上げ又はワイヤーネットを巻き込み吊り上げしていたが、パレットｆのままやワイヤー巻き込みだけでは、パレット台の崩壊や荷物Ｂが不安定にり、荷物の落下の可能性が高かった。
しかし、（３）のようにパレット台ｆ上に荷物Ｂなどを載せて、（４）のようにモッコ状網Ｍを吊り上げると、（２）のように逆Ｖ型のネット袋モッコＭの底に角鉄格子ｆを取付け、（１）のようにネット上部にバネ製のリング３３を付けてフレキシブルとすることによって、パレット台ｆやその他の荷物の取り込み取り出しが容易となる。またネットで覆うため、落下の危険性が無くなる。
使用に際しては、（２）のような荷物Ｂの落下防止の為、逆Ｖ型の形状をしたモッコ網Ｍの底に角鉄格子台ｆを収納保持してある。不均等の荷物や塗料缶その他の資材吊り上げて運搬際に便利である。
【００３９】
図２５は、市販のフレコン袋の再使用を可能にするために、下部にリングを取りけた、リング付ネット袋３３の斜視図であり、フレコン袋３４と形状は同一だが、網袋３３の底部中央に排出口リングパイプ３５を設けている事を特徴とする。リング３５を緩めて解放すれば、排出口が開放状態となり、また底部が安定する。
フレコン袋の使用規定には強度上１回のみの使用となっているため、市販の従来のフレコン袋３４は、砂や紛体などの吊上に再使用が出来ない欠点がある。また材質においては樹脂で作られている為、購入時は安価だが、廃棄処分時は高価で不経済となる。
ところが、図のように、フレコン袋３４が入るように形状は同一の網袋３３とし、収容物の排出口は、フレコン袋３４の排出口３６より大きめの大きさとし、形状も同一とする。そのため、フレコン袋３４を網袋３３中に挿入して使用する事によって、内容物にもよるがフレコン袋３４の再使用が、10回、20回と繰り返し使用でき、袋３３の損傷、使用不能になるまで使用できるメリットがある。また網袋３３はベルト併用である為、重量物にも耐えられる長所がある。
【産業上の利用可能性】
【００４０】
廃棄物を投入する袋に廃棄物を投入し易いように、保持体で形状保持され、またこの保持体と袋を分離する際に、中の廃棄物が引っ掛かったりしないように真っ直ぐなバーで保持体の各脚を形成してあり、使い勝手も良い。
【符号の説明】
【００４１】
１…  バー（脚）
２・３  環状体
４  立ち上がり部
５  水平部
６  袋
Ｒ  リング
７  固定手段
８  車輪
９  立ち上がり部
10  水平部
11、12、13  分割バー
14  分割袋
15  固定手段
16、17  蓋
18  投入口
20  大袋
21  大型の保持体
22  小袋
23  小型の保持体
24  大型の保持体
25  蛇腹状の大袋
【図１】
0005343277.tif 000002
【図２】
0005343277.tif 000003
【図３】
0005343277.tif 000004
【図４】
0005343277.tif 000005
【図５】
0005343277.tif 000006
【図６】
0005343277.tif 000007
【図７】
0005343277.tif 000008
【図８】
0005343277.tif 000009
【図９】
0005343277.tif 000010
【図１０】
0005343277.tif 000011
【図１１】
0005343277.tif 000012
【図１２】
0005343277.tif 000013
【図１３】
0005343277.tif 000014
【図１４】
0005343277.tif 000015
【図１５】
0005343277.tif 000016
【図１６】
0005343277.tif 000017
【図１７】
0005343277.tif 000018
【図１８】
0005343277.tif 000019
【図１９】
0005343277.tif 000020
【図２０】
0005343277.tif 000021
【図２１】
0005343277.tif 000022
【図２２】
0005343277.tif 000023
【図２３】
0005343277.tif 000024
【図２４】
0005343277.tif 000025
【図２５】
0005343277.tif 000026